(57)【特許請求の範囲】
【請求項１】
洗浄水を被洗浄面に噴出する洗浄ノズルを有する衛生洗浄装置の人体乾燥装置であって、高圧空気を供給する高圧空気発生手段と、使用時に前方に進出可能に進退自在に設けられて前記高圧空気を吹出口より前記被洗浄面に噴出させる乾燥ノズルと、前記乾燥ノズルに付着した水を吹き飛ばす水滴除去ノズルとを備え、前記水滴除去ノズルは前記乾燥ノズルが進出完了するまでに前記吹出口に付着した水を吹き飛ばすことを特徴とする人体乾燥装置。
【請求項２】
高圧空気を加熱する加熱手段を備えた請求項１記載の人体乾燥装置。
【請求項３】
乾燥ノズルの収納時に吹出口を覆うひさしを設けた請求項１記載の人体乾燥装置。
【請求項４】
乾燥ノズルの収納時に吹出口を覆う開閉蓋を設けた請求項１記載の人体乾燥装置。
【請求項５】
高圧空気発生手段は乾燥ノズルの進出完了までに吹出口に付着した水を吹き飛ばすため前記乾燥ノズルより高圧空気を吹出させる請求項１記載の人体乾燥装置。
【請求項６】
乾燥ノズルの先端部に前記乾燥ノズルの長手方向の軸回りに回転自在に設けられた吹出口のあるノズル部を有し、前記乾燥ノズルの後退時に前記吹出口が下向きとなる位置に前記吹出口を回動するモータを有する請求項１記載の人体乾燥装置。
【発明の詳細な説明】
【０００１】
【発明の属する技術分野】
この発明は、例えば衛生洗浄便座等に適用される衛生洗浄装置の洗浄後の乾燥等に使用する人体乾燥装置に関するものである。
【０００２】
【従来の技術】
臀部等の被洗浄面を衛生洗浄装置から噴射する洗浄水により洗浄し、その後多量の水が付着した臀部を温風乾燥装置により温風乾燥する場合、水が薄い水膜状になっている部分では比較的速やかに乾燥されるが、水滴状になって残留付着した部分は温風を長時間吹きつけないと乾燥しない。そのため時間がかかり過ぎ、長時間温風を当てることにより臀部に炎症が起こる可能性がある。
【０００３】
このため、従来の衛生洗浄装置（例えば特開昭58-218531 号）は、空気圧縮機を設けて空気噴出ノズルにより高速の噴流を噴射させ、残留付着した水滴を高圧空気で吹き飛ばして飛散したりあるいは拡散させて細かな水滴または薄い水膜状にし、その後温風乾燥し、濡れた被洗浄面の全体を短時間で万遍なく乾燥するようにしていた。
【０００４】
【発明が解決しようとする課題】
しかし、高圧空気を吹き出す空気噴出ノズルが被洗浄面から離れていると効率が悪く効果が低下し、また空気噴出ノズルを被洗浄面に近づけるように長くすると収納が困難になるという課題があった。
【０００５】
一方、従来の温風乾燥装置（例えば特開昭60-164525 号) は、図１１に示すように温風乾燥ノズル１００を伸縮自在にシリンダ１０１に内装し、ワイヤ１０２の一端をノズル１００に接続し他端を操作レバー１０６に接続して接続レバー１０６を操作することにより伸縮動作させたり、ワイヤ１０２をモータで駆動したり、あるいはワイヤ１０２に代えてノズル１００を水圧で駆動していた。１０３はワイヤチューブ、１０４はヒータ、１０５はノズル１００の噴出口である。
【０００６】
この従来例を利用すれば、乾燥ノズルを伸縮できるため、ノズル長さを比較的短縮可能であり、収納も可能になる。
【０００７】
しかし、洗浄時に洗浄ノズルで臀部を洗浄する際の洗浄水あるいは洗浄前後に洗浄ノズルを洗浄する際の洗浄水が、乾燥ノズルに飛散付着し、乾燥時に乾燥ノズルの噴流により吹き飛ばされ臀部に再付着して乾燥性能を劣化させるという課題があった。
【０００８】
したがって、この発明の目的は、被洗浄面や洗浄ノズルを洗浄した水が乾燥ノズルを介して臀部に再付着するのを防止することができる人体乾燥装置を提供することである。
【０００９】
【課題を解決するための手段】
請求項１記載の人体乾燥装置は、洗浄水を被洗浄面に噴出する洗浄ノズルを有する衛生洗浄装置の人体乾燥装置であって、高圧空気を供給する高圧空気発生手段と、使用時に前方に進出可能に進退自在に設けられて前記高圧空気を吹出口より前記被洗浄面に噴出させる乾燥ノズルと、前記乾燥ノズルに付着した水を吹き飛ばす水滴除去ノズルとを備え、前記水滴除去ノズルは前記乾燥ノズルが進出完了するまでに前記吹出口に付着した水を吹き飛ばすことを特徴とするものである。
請求項１記載の人体乾燥装置によれば、乾燥ノズルに付着した水を完全に除去することができ、被洗浄面への再付着を防止することができる。
【００１０】
請求項２記載の人体乾燥装置は、請求項１において、高圧空気を加熱する加熱手段を備えたものである。
請求項２記載の人体乾燥装置によれば、請求項１と同様の効果のほか、高圧空気を被洗浄面に吹きつけて水滴を吹き飛ばして飛散または拡散することができる。
【００１１】
請求項３記載の人体乾燥装置は、請求項１において、乾燥ノズルの収納時に吹出口を覆うひさしを設けたものである。
【００１２】
請求項３記載の人体乾燥装置によれば、請求項１と同様な効果のほか、簡単な構成により、洗浄水が乾燥ノズルにかかるのを確実に防止することができる。
【００１３】
請求項４記載の人体乾燥装置は、請求項１において、乾燥ノズルの収納時に吹出口を覆う開閉蓋を設けたものである。
【００１４】
請求項４記載の人体乾燥装置によれば、請求項１と同様な効果のほか、簡単な構成により、洗浄水が乾燥ノズルにかかるのをより一層確実に防止することができる。
【００１５】
請求項５記載の人体乾燥装置は、請求項１において、乾燥ノズルの進出完了までに吹出口に付着した水を吹き飛ばすための吹出しを行うものである。
【００１６】
請求項５記載の人体乾燥装置によれば、請求項１と同様の効果のほか、乾燥工程前に乾燥ノズルを噴射させて乾燥ノズルに付着した水を吹き飛ばすことにより被洗浄面への再付着を防止することができ、構成が簡単で安価にでき、乾燥ノズルの洗浄も可能になる。
【００１７】
【００１８】
【００１９】
請求項６記載の人体乾燥装置は、請求項１において、乾燥ノズルの先端部に乾燥ノズルの長手方向の軸回りに回転自在に設けられた吹出口のあるノズル部を有し、乾燥ノズルの後退時に吹出口が下向きとなる位置に吹出口を回動するモータを有するものである。
【００２０】
請求項６記載の人体乾燥装置によれば、請求項１と同様に、洗浄水が乾燥ノズルの吹出口にかからないので、被洗浄面への再付着を防止することができる。
【００２１】
【００２２】
【００２３】
【発明の実施の形態】
この発明の第１の実施の形態を図１および図２により説明する。図１は、衛生洗浄装置を装備した便器ユニットを示している。１は便器、１ａは便器ボウル、２は便座、３は便座蓋、９は水洗タンク（ロータンク）である。
【００２４】
４は衛生洗浄装置の本体ケースである。この内部には洗浄水を加熱する加熱手段およびその温水を圧送する洗浄ポンプ１５を有し、洗浄ポンプ１５に人体を洗浄する洗浄ノズル１０を接続し、洗浄ノズル１０を便器ボウル１ａの後部より中央方向に向けて突出している。水道管に給水元弁を介して加熱手段に水を給水して加熱し、洗浄ポンプ１５で洗浄ノズル１０に圧送し、洗浄ノズル１０の噴出口１０ａから被洗浄面に噴射しこれにより洗浄が行われる。
【００２５】
また衛生洗浄装置は、洗浄装置で洗浄された後の被洗浄面を乾燥するため、被洗浄面に残留付着した水滴を吹き飛ばして飛散または拡散させる人体乾燥装置と、温風乾燥手段を設けている。
【００２６】
人体乾燥装置は、高圧空気を発生する高圧空気発生手段と、高圧空気を噴出させる乾燥ノズル２４を備えている。高圧空気発生手段は空気を高圧に加圧する加圧手段２２と、加圧手段２２により発生した高圧空気を溜める蓄圧手段２３を有し、蓄圧手段２３からの高圧空気を制御弁例えば電磁弁２５を介して乾燥ノズル２４に供給している。加圧手段２２は公知のポンプ等を用い、本体ケース４に内蔵されている。蓄圧手段２３はタンクにより構成し加圧手段２２と分離して本体ケース４の背面にユニットとして配設され、加圧手段２２と空気配管により接続され、また電磁弁２５と配管により接続されている。電磁弁２５と乾燥ノズル２４との間は可撓性の配管７により接続されている。乾燥ノズル２４は便器ボウル１ａの例えば後部に配設されて洗浄後の人体の被洗浄面Ａを乾燥させるものであり、乾燥時に便器ボウル１ａ内の中央寄りに進出して被洗浄面Ａに略垂直に高圧空気を噴出するように進退自在に構成され、モータや空気圧等により進退駆動される。乾燥ノズル２４からの高圧空気の噴出は電磁弁２５により制御される。
【００２７】
４０はコンセント、４１はコンセント４０に接続される受電部、４２は操作パネルである。
【００２８】
図２は、乾燥ノズル２４の後退位置であり、便器ボウル１ａの後部に位置する収納部となる本体ケース４に収納された状態である。吹出口２４ａは本体ケース４のノズル挿通口１４に位置している。上記したように、乾燥ノズル２４を便器ボウル１ａの中央付近と便器ボウル１ａの内面付近との間において進退させる。その場合、乾燥ノズル２４の後退位置で乾燥ノズル２４の吹出口２４ａを洗浄時の洗浄ノズル１０の噴出口１０ａよりも上方に配置している。これにより、洗浄ノズル１０より洗浄水が吹き出して被洗浄面Ａを洗浄する際に被洗浄面Ａから落下するしずくＰが乾燥ノズル２４の吹出口２４ａに付着するのを防止することができる。洗浄後は洗浄ノズル１０が本体ケース４に後退し、乾燥ノズル２４が本体ケース４より進出するが乾燥ノズルに洗浄水が付着していないので被洗浄面Ａに水滴が再付着することがない。
【００２９】
温風乾燥手段は、温風を発生する温風ファンなどの温風吐出手段３１と、発生した温風を被洗浄面に向けて吹き出すノズル３２からなる。
【００３０】
この衛生洗浄装置は、便座蓋３を開き便座２に着座し用便後に操作パネル４２を操作して、まず洗浄が行われる。これは給水元弁が開き水道水が加熱手段に供給され加熱され、洗浄ポンプ１５の稼働により洗浄ノズル１０から洗浄水が噴出し被洗浄面を洗浄する。つぎに人体乾燥装置を操作し、乾燥ノズル２４を図２の状態から被洗浄面Ａの下方に進出するとともに、高圧空気を被洗浄面Ａに吹きつけて水滴を吹き飛ばして飛散または拡散する。これは加圧手段２２の動作により蓄圧手段２３に高圧空気を溜め、電磁弁２５を制御して蓄圧手段２３から乾燥ノズル２４に高圧空気を送り被洗浄面に噴出させる。その後または人体乾燥装置と同時に温風乾燥手段を操作し温風を被洗浄面に吹き出して温風乾燥する。
【００３１】
この実施の形態によれば、乾燥ノズル２４の後退位置の吹出口２４ａを、洗浄時の洗浄ノズル１０の吹出口１０ａよりも上方に位置したため、乾燥ノズル２４の吹出口２４ａへ水が付着しにくくなる。このため、被洗浄面Ａに洗浄水が再付着するのを防止し乾燥性能の劣化を防止することができる。
【００３２】
なお、人体乾燥装置で高圧空気を送るとき温風乾燥手段を同時に働かせて被洗浄面を温めてもよいが、人体乾燥装置の乾燥ノズル２４より吹出す高圧空気を事前に加熱する加熱手段を追加してもよい。
【００３３】
この発明の第２の実施の形態を図３に示す。第１の実施の形態において、収納部である本体ケース４のノズル挿通口１４に乾燥ノズル２４の吹出口２４ａを覆うひさし１７を本体ケース４に追加している。
【００３４】
洗浄時に洗浄ノズル１０より吹出した洗浄水が被洗浄面ＡにあたりしずくＰが飛び散るがひさし１５があるためより確実に吹出口２４ａに付着するのを防止することができる。その他は第１の実施の形態と同様である。
【００３５】
この発明の第３の実施の形態を図４に示す。第２の実施の形態のひさし１５に代えて、乾燥ノズル２４の収納時に吹出口２４ａを覆う開閉蓋１６を本体ケース４に設けている。この場合、ノズル挿通口１４に吹出口収納部３５を設け、吹出口収納部３５に開閉蓋１６を設けている。開閉蓋１６は乾燥ノズル２４の進出動作で乾燥ノズル２４に押されて開き、また乾燥ノズル２４の後退時に自重により閉じて吹出口２４ａの洗浄ノズル１０の吹出口１０ａに対向する側を覆う。
【００３６】
この発明の第４の実施の形態を図５に示す。第１の実施の形態において、乾燥ノズル２４は進出完了までに乾燥ノズル２４に付着した水を吹き飛ばすための吹出しを行うものである。したがって、乾燥ノズル２４の進出開始時に電磁弁２５を制御して圧縮空気を吹き出すことにより、洗浄時にたとえ洗浄水が乾燥ノズル２４の吹出口２４ａに付着していても、乾燥前に事前に水滴が吹き飛ばされ、水滴が被洗浄面Ａにかかるのを防止することができる。なお、この吹出動作は乾燥ノズル２４の進出途中でもよい。
【００３７】
この発明の第５の実施の形態を図６に示す。第４の実施の形態において、乾燥ノズル２４が進出完了するまでに乾燥ノズル２４に付着した水を吹き飛ばす水滴除去ノズル３０を別途有するものである。実施の形態では蓄圧タンク２３に接続する電磁弁２５を切り替え式にして乾燥ノズル２４とノズル３０を電磁弁２５ａに接続し、電磁弁２５の制御により乾燥ノズル２４と切り替えてノズル３０を制御するようにしている。これにより、吹出口２４ａはもちろん吹出口２４ａの周辺に付着した水滴も完全に除去することができる。
【００３８】
この発明の第６の実施の形態を図７および図８に示す。第１の実施の形態の乾燥ノズルと比較して、乾燥ノズル２４の先端部に乾燥ノズル２４の長手方向の回りに回転自在に設けられた吹出口２４ａのあるノズル部３７を有し、吹出口２４ａを乾燥ノズル２４の後退時に被洗浄面Ａに対して裏返しとなる位置に回動するモータ３８を有する点が異なる。実施の形態では乾燥ノズル２４の先端部にノズル回転モータ３８を設け、このノズル回転モータ３８によりノズル部３７を回転する。
【００３９】
図７の想像線は乾燥ノズル２４の後退状態であり、吹出口２４ａは下方に向いている。図７の実線および図８は乾燥ノズル２４の進出途中の状態であり、ノズル部３７はモータ３８により約４５度回動した状態であり、進出完了位置ではノズル部３７が上方に向くまで回動し、全体としては約１８０度回動する。その他は第１の実施の形態と同様である。
【００４０】
この発明の第７の実施の形態を図９および図１０に示す。第６の実施の形態において、ノズル部２４ａは乾燥ノズル２４の先端部で長手方向に直角な方向に延びた腕４６を有し、腕４６の先端部に吹出口２４ａを設けている。
【００４１】
図９および図１０は乾燥ノズル２４の進出状態であり、図９の想像線は進出または後退の途中の状態でノズル部３７が約４５度回動し、図１０は乾燥ノズル２４が後退した状態であり、ノズル部３７は全体として約１８０度回動し、吹出口２４ａが下方に向いている。
【００４２】
腕４６により乾燥ノズル２４の後退時には吹出口２４ａを下方に向けることができ、一方進出時には吹出口２４ａを上方に向けることにより吹出口２４ａを腕４６の長さ分被洗浄面Ａに接近することができ、乾燥効率を向上できる。
【００４３】
【発明の効果】
請求項１記載の人体乾燥装置によれば、乾燥ノズルに付着した水をより完全に除去することができ、被洗浄面への再付着を防止することができる。
請求項２記載の人体乾燥装置によれば、請求項１と同様の効果のほか、高圧空気を被洗浄面に吹きつけて水滴を吹き飛ばして飛散または拡散することができる。
【００４４】
請求項３記載の人体乾燥装置によれば、請求項１と同様な効果のほか、簡単な構成により、洗浄水が乾燥ノズルにかかるのを確実に防止することができる。
【００４５】
請求項４記載の人体乾燥装置によれば、請求項１と同様な効果のほか、簡単な構成により、洗浄水が乾燥ノズルにかかるのをより一層確実に防止することができる。
【００４６】
請求項５記載の人体乾燥装置によれば、請求項１と同様な効果のほか、乾燥工程前に乾燥ノズルを噴射させて乾燥ノズルに付着した水を吹き飛ばすことにより被洗浄面への再付着を防止することができ、構成が簡単で安価にでき、乾燥ノズルの洗浄も可能になる。
【００４７】
【００４８】
請求項６記載の人体乾燥装置によれば、請求項１と同様に、洗浄水が乾燥ノズルの吹出口にかからないので、被洗浄面への再付着を防止することができる。
【００４９】
【図面の簡単な説明】
【図１】  この発明の第１の実施の形態の衛生洗浄装置を備えた便器の斜視図である。
【図２】  乾燥ノズルの後退状態の断面図である。
【図３】  第２の実施の形態の乾燥ノズルの後退状態の断面図である。
【図４】  第３の実施の形態の乾燥ノズルの後退状態の断面図である。
【図５】  第４の実施の形態の乾燥ノズルの後退状態の断面図である。
【図６】  第５の実施の形態の乾燥ノズルの後退状態の断面図である。
【図７】  第６の実施の形態の乾燥ノズルの進出途中の状態の断面図である。
【図８】  その衛生洗浄装置部分の正面図である。
【図９】  第７の実施の形態の衛生洗浄装置部分の正面図である。
【図１０】  その乾燥ノズルの進出状態の断面図である。
【図１１】  従来例の要部断面図である。
【符号の説明】
１     便器
１ａ   便器ボウル
２     便座
３     便座蓋
４     本体ケース
９     水洗タンク
１０   洗浄ノズル
１０ａ 噴出口
１４   ノズル挿通口
１５   洗浄ポンプ
１６   開閉蓋
１７   ひさし
２２   加圧手段
２３   蓄圧手段
２４   乾燥ノズル
２４ａ 吹出口
２５   電磁弁
３７   ノズル部
３８   回転モータ
４６   腕
【図１】
0003889302.tif 000002
【図２】
0003889302.tif 000003
【図３】
0003889302.tif 000004
【図４】
0003889302.tif 000005
【図５】
0003889302.tif 000006
【図６】
0003889302.tif 000007
【図７】
0003889302.tif 000008
【図８】
0003889302.tif 000009
【図９】
0003889302.tif 000010
【図１０】
0003889302.tif 000011
【図１１】
0003889302.tif 000012